(57)【要約】      （修正有）【課題】ヒール部の製造コストを削減して、複数のヒール部を１個の履物本体とセットにして販売する際の価格を下げた履物を提供する。【解決手段】履物１を、履物本体２と、蟻型部６とこの蟻型部６に係合する蟻型溝７のうちの一方を有し、前記履物本体２の踵部２ａに固定された蟻型部材と、前記蟻型部６と前記蟻型溝７のうちの他方を有するヒール部３Ａと、前記蟻型部材に設けられ、前記蟻型溝７と前記蟻型部６を嵌合させて前記履物本体２に取付けられた前記ヒール部３Ａを前記蟻型部材にロックさせるロック機構とで構成することで解決した。【選択図】図６
2020081113.tif 000002
【特許請求の範囲】
【請求項１】
履物本体と、
蟻型部とこの蟻型部に係合する蟻型溝のうちの一方を有し、前記履物本体の踵部に固定された蟻型部材と、
前記蟻型部と前記蟻型溝のうちの他方を有するヒール部と、
前記蟻型部材に設けられ、前記蟻型溝と前記蟻型部を嵌合させて前記履物本体に取付けられた前記ヒール部を前記蟻型部材にロックさせるロック機構と、を有することを特徴とする、履物。
【請求項２】
前記ロック機構は、
前記蟻型部材に設けられ、前記ヒール部に設けられた係合凹部に対して係合／係合解除が可能な係合部材と、
前記蟻型部材に設けられ、手動操作されて前記係合部材を前記係合凹部に対して係合／係合解除させるレバー部材と、を有することを特徴とする請求項１に記載の履物。
【請求項３】
前記蟻型部材に設けられ、前記係合凹部に向かって前記係合部材を付勢する弾性部材を有し、
前記レバー部材は、前記弾性部材の付勢に抗して前記係合部材を移動させて前記係合凹部から前記係合部材を係合解除させることを特徴とする、請求項２に記載の履物。
【請求項４】
前記蟻型溝は、前記ヒール部に形成されると共に前記履物本体の後方側から前方側へスライドさせて前記蟻型部に嵌合され、
前記ヒール部は、前記ヒール部の前方側に、当該スライドに伴って前記弾性部材の付勢に抗して前記係合部材を移動させて前記係合凹部へ導く傾斜面を設けられていることを特徴とする、請求項３に記載の履物。
【請求項５】
前記蟻型溝は、前記ヒール部に形成されると共に前記履物本体の後方側から前方側へスライドさせて前記蟻型部に嵌合され、
前記ヒール部は、前記ヒール部の前方側に、前記レバー部材を収容する凹み部を設けられていることを特徴とする、請求項３に記載の履物。
【請求項６】
前記蟻型溝は、前記ヒール部に、前記ヒール部の後方側の端部まで達しない途中で止めて形成されると共に前記履物本体の後方側から前方側へスライドさせて前記蟻型部に嵌合され、
前記ヒール部は、前記蟻型溝及び前記蟻型部の後方側及び両側方側を覆って前記履物本体の踵部に面接触していることにより、前記履物本体との間に後方側及び両側方側から見える繋ぎ目を有しないことを特徴とする、請求項１に記載の履物。
【請求項７】
前記蟻型部及び前記蟻型溝は、その嵌合幅方向を含む輪郭形状が台形であって嵌合開始位置から嵌合位置へ向かって嵌合幅が狭くなっていることを特徴とする、請求項１に記載の履物。
【請求項８】
前記履物が婦人靴であることを特徴とする、請求項１〜６のいずれか１項に記載の履物。
【請求項９】
前記婦人靴がパンプス、サンダル、ブーツであることを特徴とする、請求項７に記載の履物。
【発明の詳細な説明】
【技術分野】
【０００１】
本発明は、ヒール部を着脱して、高さ、太さ、及びデザインが異なる別のヒール部に取替えることのできる履物、とくに婦人靴に関する。
【背景技術】
【０００２】
従来、履物の中でも婦人靴の種類は多種多様である。婦人靴の中でもヒール部を有するものは、そのヒールの高さによって、ハイヒール、ミドルヒール、ロウヒール、フラットヒールに分類され、それぞれのヒールの高さにおいて、パンプス、サンダル、ブーツと云った種類の異なる婦人靴が販売されている。このような状況を鑑みて、履物踵部とヒール部とを着脱可能にしておき、同じ履物踵部に対して高さの異なるヒール部に取替えることにより、ヒール部の高さを変えることのできる婦人靴が公知である。
【０００３】
しかし、従来のヒール部を取替え可能な婦人靴は、履物踵部に対するヒール部の取付構造が複雑で部品点数も多く、ヒール部の取替え作業の難易度が高いものであった。そこで、特許文献２に示されるように、履物踵部とヒール部の間に蟻型溝と蟻型部を設け、蟻型溝に蟻型部を嵌合／嵌合解除して履物踵部にヒール部を着脱することが考えられた。また、特許文献３に示されるように、蟻型溝と蟻型部の間にレバー部材を有するロック機構を設けて、ワンタッチ式にロック機構を操作して履物踵部にヒール部を着脱可能にすることが考えられた。
【先行技術文献】
【特許文献】
【０００４】
【特許文献１】実用新案登録第３１７１７６４号公報
【特許文献２】特開２０１７−７０５３５号公報
【発明の概要】
【発明が解決しようとする課題】
【０００５】
特許文献１に開示されるヒール着脱構造は、履物踵部とヒール部との間に別部品のロック部材を装着して履物踵部とヒール部とを一体に固定するので、別部品のロック部材を喪失し易い。これに対して、特許文献２に開示されるヒール着脱構造は、ロック部材がレバー部材としてヒール部に設けられているため、ロック部材を喪失する心配が無い。しかし、ヒールごとにロック部材を設けているため、ヒール部の製造コストが高くなる。このため、複数のヒール部を１個の履物踵部とセットにして製造販売する場合、セットの合計の製造コストが高くなる。
【０００６】
そこで、本発明の目的は、ヒール部の製造コストを削減して、複数のヒール部を共通の履物踵部とセットにして販売する際の価格を下げることである。
【課題を解決するための手段】
【０００７】
上記した目的を達成するために、請求項１の発明は、履物本体と、蟻型部とこの蟻型部に係合する蟻型溝のうちの一方を有し、前記履物本体の踵部に固定された蟻型部材と、前記蟻型部と前記蟻型溝のうちの他方を有するヒール部と、前記蟻型部材に設けられ、前記蟻型溝と前記蟻型部を嵌合させて前記履物本体に取付けられた前記ヒール部を前記蟻型部材にロックさせるロック機構と、を有することを特徴とする。
【０００８】
また、請求項２の発明は、前記ロック機構は、前記蟻型部材に設けられ、前記ヒール部に設けられた係合凹部に対して係合／係合解除が可能な係合部材と、前記蟻型部材に設けられ、手動操作されて前記係合部材を前記係合凹部に対して係合／係合解除させるレバー部材と、を有することを特徴とする。
【０００９】
また、請求項３の発明は、前記蟻型部材に設けられ、前記係合凹部に向かって前記係合部材を付勢する弾性部材を有し、前記レバー部材は、前記弾性部材の付勢に抗して前記係合部材を移動させて前記係合凹部から前記係合部材を係合解除させることを特徴とする。
【００１０】
また、請求項４の発明は、前記蟻型溝は、前記ヒール部に形成されると共に前記履物踵部の後方側から前方側へスライドさせて前記蟻型部に嵌合され、前記ヒール部は、前記ヒール部の前方側に、当該スライドに伴って前記弾性部材の付勢に抗して前記係合部材を移動させて前記係合凹部へ導く傾斜面を設けられていることを特徴とする。
【００１１】
また、請求項５の発明は、前記蟻型溝は、前記ヒール部に形成されると共に前記履物踵部の後方側から前方側へスライドさせて前記蟻型部に嵌合され、前記ヒール部は、前記ヒール部の前方側に、前記レバー部材を収容する凹み部を設けられていることを特徴とする。
【００１２】
また、請求項６の発明は、前記蟻型溝は、前記ヒール部に、前記ヒール部の後方側の端部まで達しない途中で止めて形成されると共に前記履物本体の後方側から前方側へスライドさせて前記蟻型部に嵌合され、前記ヒール部は、前記蟻型溝及び前記蟻型部の後方側及び両側方側を覆って前記履物本体の踵部に面接触していることにより、前記履物本体との間に後方側及び両側方側から見える繋ぎ目を有しないことを特徴とする。
【００１３】
また、請求項７の発明は、前記蟻型部及び前記蟻型溝は、その嵌合幅方向を含む輪郭形状が台形であって嵌合開始位置から嵌合位置へ向かって嵌合幅が狭くなっていることを特徴とする。
【００１４】
また、請求項８の発明は、前記履物が婦人靴であることを特徴とする。また、請求項９の発明は、前記婦人靴がパンプス、サンダル、ブーツであることを特徴とする。
【発明の効果】
【００１５】
請求項１に係る本発明によれば、ヒール部の製造コストを削減して、複数のヒール部を１個の履物踵部とセットにして販売する際の価格を下げることができる。
【００１６】
また、請求項２の発明によれば、係合部材とレバー部材とが別部材であるから、それぞれ小型に形成して都合の良い位置に配置することができる。
【００１７】
また、請求項３の発明によれば、弾性部材が係合部材を係合凹部に向かって常時付勢しているので、ヒール部の取付け状態における係合部材と係合凹部との係合を確実にすることができる。
【００１８】
また、請求項４の発明によれば、レバー部材の操作によらず傾斜面によってスライドに伴って係合部材を自動的にスライドが妨げられない位置へ退避させるので、ヒール部を蟻型部材に取り付ける作業が容易である。
【００１９】
また、請求項５の発明によれば、凹み部にレバー部材が収容されるので、履物踵部の外側からレバー部材が目立ち難い。レバー部材に異物が接触して係合部材が誤操作されることが起こり難い。
【００２０】
また、請求項６の発明によれば、蟻型溝がヒール部の後方側の端部まで達しない途中で止めて形成されると共に、ヒール部と履物本体の踵部とが面接触して蟻型部材の後方側及び両側方側をヒール部によって覆い隠しているため、ヒール部の前方側に比較して外側から目立ち易い後方側及び両側方側に、ヒール部と蟻型部材の繋ぎ目が露出しない。
【００２１】
また、請求項６の発明によれば、蟻型部に対して蟻型溝を嵌合開始位置から緩くスライドさせて、嵌合位置では緊密に嵌合させることができる。
【図面の簡単な説明】
【００２２】
【図１】本発明を実施した履物の１種であるミドルヒールのパンプスと呼ばれる婦人靴の側面図である。
【図２】実施例１に係る婦人靴の外観の説明図であって、（ａ）は平面図、（ｂ）はヒール部を装着した状態の底面図、（ｃ）はヒール部を取り外した状態の底面図である。
【図３】実施例１に係る婦人靴における履物踵部及び蟻型部材の分解斜視図である。
【図４】実施例１に係る婦人靴においてヒール部を取り外した状態の底面図における踵支持プレートの配置の説明図である。
【図５】実施例１に係る婦人靴における蟻型部材及びロック機構の構成の説明図であって、（ａ）は平面図、（ｂ）は側面図、（ｃ）は（ａ）のＡ−Ａ断面図、（ｄ）は底面図である。
【図６】実施例１に係る婦人靴における蟻型部材に対するヒール部の装着を説明する断面図である。
【図７】実施例１に係る婦人靴における蟻型部材に対するヒール部の着脱を説明する平面図である。
【図８】実施例１に係る婦人靴における蟻型部材に対するヒール部の着脱を説明する正面図である。
【図９】実施例１に係る婦人靴における蟻型部材に対するヒール部の着脱を説明する断面図であって、（ａ）はロック状態、（ｂ）はロック解除状態、（ｃ）はスライド状態である。
【図１０】実施例２に係る婦人靴の外観の説明図であって、（ａ）はヒール部を装着した状態の側面図、（ｂ）はヒール部を装着した状態の底面図である。
【図１１】実施例２に係る婦人靴における蟻型部材に対するヒール部の着脱を説明する説明図であって、（ａ）はヒール部の平面図、（ｂ）はヒール部の正面図である。
【図１２】実施例２に係る婦人靴における蟻型部材に対するヒール部の着脱を説明する断面図であって、（ａ）はロック状態、（ｂ）はロック解除状態、（ｃ）はスライド状態である。
【発明を実施するための形態】
【００２３】
以下に本発明に係る高さを変えることのできる履物の好適な実施例を図面に基づいて説明する。以下の実施例では、履物の一例としてミドルヒールのパンプスと呼ばれる婦人靴を例にとって説明するが、本発明は、図示したもの以外のハイヒール、ミドルヒール、ロウヒール、フラットヒールに属するパンプス、サンダル、ブーツ等にもそのまま適用できるものである。また、蟻型部材、蟻型溝、及びロック機構が高さ方向にスペースを取らない構成であることから、ヒール部を有する男性用の革靴或はブーツについても実施できるものである。また、取替え可能なヒール部は、高、中、低の３種類を挙げているが、これらの種類には限定されない。また、本発明に係る履物の１例としての婦人靴の内部構造が図３において概略的に示されているが、図３は、本発明を実施可能な履物の内部構造の１例であって、本発明の履物の内部構造を限定するものではない。また、本発明に係る「ヒール部を取替えることのできる履物」は、異なる高さのヒール部に取替え可能な履物には限定されず、太さの異なるヒール部に取替え可能な履物、又はデザインの異なるヒール部に取替え可能な履物、材料の異なるヒール部に取替え可能な履物でもそれぞれ実施可能である。
【実施例１】
【００２４】
図１乃至図８において、指示記号１で示されたものは、履物の１例としての女性用のミドルヒールのパンプスと呼ばれる婦人靴である。図１に示すように、ミドルヒール用のヒール部３Ａは、好適には射出形成された合成樹脂製のヒール部３Ａであって複数種類のヒール部と１個の履物本体２とがセットとして提供される。ミドルヒール用のヒール部３Ａは、履物本体２から着脱して、不図示のロウヒール用のヒール部、又はハイヒール用のヒール部に取替え可能である。
【００２５】
婦人靴１は、足を入れる履物本体２と、蟻型部６を有して履物本体２に固定された蟻型部材４と、蟻型部６に嵌合する蟻型溝７を有するヒール部３Ａと、蟻型部材４に設けられて蟻型溝７を蟻型部６に嵌合させて履物本体２に取付けられたヒール部３Ａを蟻型部材４にロックさせるロック機構８と、を有する。かかる構成を有する婦人靴１は、履物本体２に突出した蟻型部６を設け、ヒール部３Ａに凹んだ蟻型溝７を設けているので、複数のヒール部３Ａと１個の蟻型部材本体１０で使用される蟻型部６と蟻型溝７の合計の材料の量が削減される。また、ロック機構８が共通の蟻型部材４に設けられているため、ヒール部ごとにロック機構を設ける場合に比較して、ヒール部３Ａの部品点数が削減されて生産コストが削減されると共に、ヒール部３Ａごとの蟻型部材４に対する取付精度、取付強度のばらつきが小さくなる。
【００２６】
図１に示すように、蟻型部６、蟻型溝７、及びロック機構８は、履物本体２に対してヒール部３Ａを着脱可能にする。ヒール部３Ａの互換性を確保するために、上記したロウヒール用のヒール部、又はハイヒール用のヒール部についても蟻型部６、蟻型溝７、及びロック機構８は、共通に構成されている。
【００２７】
図２（ｃ）に示すように、履物本体２の踵部２ａに蟻型部材本体１０が固定されている。蟻型部材本体１０には、凸側の蟻型部６が形成されている。蟻型部６に対して、図２（ｂ）に示すように、ヒール部３Ａの凹側の蟻型溝７を嵌合させることにより、履物本体２の踵位置の蟻型部材本体１０に、ヒール部３Ａが固定される。蟻型部材本体１０は、図２（ａ）に示すように、履物本体２の内底面側に配置された踵プレート９と雄ねじ９ａ、９ａ、９ａ、９ａを用いて履物本体２の踵位置に固定されている。図２（ｃ）に示すように、蟻型部材本体１０には、対応する雌ねじ９ｂ、９ｂ、９ｂ、９ｂが形成されている。
【００２８】
尚、図示した雄ねじ９ａ、９ａ、９ａ、９ａは、履物本体２に対する蟻型部６の固着手段の１例であって、図示したとおりの固着手段の構成及び数量には限定されない。固着手段は釘状のものであってもよく、また、ビスとナットの組み合わせでもよい。
【００２９】
図３は、履物本体２の内部構造を概略的に示している。図３に示すように、履物本体２の踵部２ａを貫通させて蟻型部材本体１０が取付けられている。蟻型部材本体１０の一部を貫通させて、履物本体２の内底面側に重ねて中敷５及び踵プレート９が配置されている。中敷５は、下敷５ｃ、中敷５ｄ、踵支持プレート５ｂ、上敷５ｅ、スペーサ５ｆを順番に重ね合わせている。一方、履物本体２の外底面には、ベース板１１及び蟻型部材本体１０が順番に重ね合わせられている。
【００３０】
実施例１では、蟻型部材４は、踵部２ａに固着されたベース板１１とこのベース版１１に取り付けられた蟻型部材本体１０を組み合わせて構成される。蟻型部材本体１０に押圧されたベース板１１が履物本体２の外底面を押圧している。ベース板１１は、蟻型部材本体１０と履物本体２との間に挟持されることにより、蟻型部材本体１０の外側で蟻型部材４の履物本体２に対する当接面を形成している。ベース板１１は、ベース板１１の面積分、履物本体２の外底面と蟻型部材本体１０の間の力の伝達面積を増して、履物本体２に対する蟻型部材本体１０の連結強度を増加させている。蟻型部材本体１０及びベース板１１は、ＡＢＳ樹脂を用いて樹脂成型されている。図５（ｄ）に示すように、ベース板１１は、前方側の側面視Ｌ字型の底辺部分を蟻型部材本体１０と履物本体２との間に挟み込まれて側面視Ｌ字型の起立部分を拘束されつつ、ベース板１１の後方側のＵ字型平面の片持ち梁部分を蟻型部材本体１０に対して高さ方向に移動可能に取付けられている。これにより、ベース板１１が蟻型部材本体１０に対してガタツキなく位置決めされると共に、蟻型部材本体１０に使用者の体重がかかった際に履物本体２の撓みに伴って発生するベース板１１の局所的な応力集中を回避している。なお、蟻型部材４は、蟻型部材本体１０とベース板１１という２つの部材を組み合わせる形態には限らない。ベース板１１と同一形状のフランジ部を蟻型部材本体１０と一体に樹脂成型した蟻型部材を履物本体２の踵部２ａの外底面に重ね合わせる一体型としてもよい。あるいは３つ以上の部材を組立てて蟻型部６を有する蟻型部材を形成してもよい。
【００３１】
蟻型部材本体１０の下部に蟻型部６が形成されている。蟻型部６は、蟻型部材本体１０の一部が履物本体２の角孔ｈ１の縁に係合して、履物本体２の外底面に位置決められている。蟻型部材本体１０の平行部１０ａは、履物本体２の角孔ｈ１、下敷２ｃの角孔ｈ２、及び中敷２ｄの角孔ｈ３を貫通する。蟻型部材本体１０の円柱部１０ｂは、踵支持プレート２ｂの丸孔ｈ４、及び上敷２ｅの角孔ｈ５を貫通する。踵支持プレート２ｂの丸孔ｈ４の縁は、蟻型部材本体１０の平行部１０ａと円柱部１０ｂの間の段差面１０ｃに係合して、踵部２ａの外底面から踵支持プレート２ｂまでの高さを規制する。
【００３２】
上述したように、蟻型部材本体１０の四隅に雌ねじ９ｂ、９ｂ、９ｂ、９ｂが形成されている。踵プレート９側から雄ねじ９ａ、９ａ、９ａ、９ａを挿入して蟻型部材本体１０の雌ねじ９ｂ、９ｂ、９ｂ、９ｂに締め付けることにより、図５（ｂ）に示すように、蟻型部材本体１０と踵プレート９との間に、踵支持プレート５ｂ、及び上敷５ｅが挟み込まれている。同時に、蟻型部材本体１０の後方側では、踵プレート９と蟻型部材本体１０のフランジ部１０ｄとの間に、上敷５ｅ、踵支持プレート５ｂ、中敷５ｄ、下敷５ｃ、履物本体２が挟み込まれている。また、蟻型部材本体１０の前方側では、蟻型部材本体１０の係合部１０ｅがベース板１１に係合しており、踵プレート９とベース板１１との間に、上敷５ｅ、踵支持プレート５ｂ、中敷５ｄ、下敷５ｃ、履物本体２が挟み込まれている。蟻型部材本体１０は、踵支持プレート５ｂとの間に中敷５ｄ、下敷５ｃ、履物本体２、及びベース板１１を挟み込んで履物本体２に取付けられている。
【００３３】
金属板の踵プレート９及び踵支持プレート５ｂは、鋼板をプレス加工後、黒色に塗装してある。上敷５ｅ、中敷５ｄ、下敷５ｃ、及びスペーサ５ｆは、皮革、合成皮革、エラストマ、樹脂浸透織布等の柔軟なシート材料をそれぞれの形状に型抜きして形成されている。金属板の踵支持プレート５ｂは、履物本体２の内側を前後方向に横断させて設けられ、その一端部で蟻型部材本体１０が踵位置に位置決めて固定されている。金属板の踵支持プレート５ｂは、蟻型部６、及び履物本体２の補強部材であって、履物本体２に対する蟻型部材本体１０の取付強度を高めている。踵支持プレート５ｂは、取付面内の位置ずれを防止するために、はと目５ｈを用いて上敷５ｅに固定されている。図４に示すように、踵支持プレート５ｂは、上敷５ｅを介して履物本体２の内側で位置決め固定され、足と履物本体２との間で水平方向の力やモーメントを伝達する。
【００３４】
金属板の踵プレート９は、円柱部１０ｂを貫通させた中敷５（上敷５ｅ、踵支持プレート５ｂ、中敷５ｄ、及び下敷５ｃ）を蟻型部材本体１０の段差面１０ｃとの間に挟み込んで蟻型部材本体１０に固定されている。このため、金属板の踵プレート９が受け止めた使用者の踵にかかる体重は、中敷５をバイパスし、嵌合した蟻型部材本体１０と蟻型溝７を介してヒール部３Ａへ直接伝達される。このため、履物本体２に無理な力がかからなくなり、履物本体２に対する蟻型部材本体１０の取付強度が高められている。
【００３５】
踵支持プレート５ｂの丸孔ｈ４の縁に雄ねじ９ａ、９ａ、９ａ、９ａに対する個別の貫通孔を設けているので、金属板の踵プレート９は、金属板の踵支持プレート５ｂと一体に捩じり等の力を受ける。このため、金属板の踵プレート９は、踵支持プレート５ｂ及び上敷５ｅを介して、履物本体２に対する蟻型部材本体１０の取付強度を高めている。金属板の踵プレート９は、蟻型溝７と蟻型部６の嵌合によってヒール部３Ａと一体化した蟻型部材本体１０へ、婦人靴１を履いた使用者の踵にかかる体重を直接伝達する。踵プレート９及び蟻型部材本体１０は、使用者の踵にかかる体重をヒール部３Ａへ直接伝達するため、下敷５ｃ、中敷５ｄ、踵支持プレート５ｂ、上敷５ｅ、スペーサ５ｆを含む履物本体２に面方向の過剰なねじれ力や厚み方向の過剰な曲げ力が作用しない。スペーサ５ｆは、踵プレート９の輪郭に合わせた開口５ｇが形成され、両面粘着テープで上敷５ｅの上面に固定されて踵プレート９の段差を吸収する。
【００３６】
図５、図６、図７、図８に示すように、蟻型部６及びロック機構８が履物本体２側に設けられ、蟻型溝７がヒール部３Ａ側に設けられている。図６に白抜きの矢印で示すように、ヒール部３Ａは、履物本体２の後方側（踵側）から前方側（爪先側）へ向かってスライドさせて履物本体２に取付けられる。蟻型溝７は、ヒール部３Ａのスライドに伴って蟻型部６に嵌合される。蟻型溝７は、ヒール部３Ａに樹脂成型により一体に形成されている。蟻型部６は、履物本体２の踵部２ａに取付けられた蟻型部材本体１０に樹脂成型により一体に形成されている。なお、本発明においては、実施例１とは逆に、ヒール部３Ａに蟻型部を設け、蟻型部に嵌合する蟻型溝を形成した蟻型部材を履物本体２に設けてもよい。しかし、弾性部材８ｃ、係合部材８ｂ、及びレバー部材８ｄを蟻型部材本体１０の厚みの中に収容するためには、蟻型部６の高さをその厚みの一部として利用できるように、蟻型部材本体１０に蟻型部６を形成することが望ましい。
【００３７】
図７に示すように、蟻型溝７は、蟻型部６と係合させるために、ヒール部３Ａの上面に設けられている。蟻型溝７は、ヒール部３Ａの後方側の端部まで達しておらず、その途中で止められている。履物本体２にヒール部３Ａを取付けた状態では、図２（ｃ）に示されるように蟻型部材本体１０とベース板１１とで構成される蟻型部材４の全体が図２（ｂ）に示すように、ヒール部３Ａによって外側から覆われて、婦人靴１の外観には露出しないようになっている。詳しく説明すると、ヒール部３Ａと履物本体２の踵部２ａとが蟻型溝７の外側でＵ字型に面接触して、ヒール部３Ａに嵌合した蟻型部材４の後方側及び両側方側をヒール部３Ａによって覆い隠している。また、実施例１では、図７に示すように、蟻型部材本体１０及びベース板１１をできるだけ小型化し、蟻型部材本体１０及びベース板１１を効率的に内側に保持して下方から支え得る階段状の凹所７ｄを、ヒール部３Ａの上面に形成している。このとき、蟻型部６及び蟻型溝７が嵌合開始位置Ｐ０から嵌合位置Ｐ１へ向かって嵌合幅Ｗを次第に狭くしている構造は、後方側に嵌合位置Ｐ１を配置して前方側に嵌合開始位置Ｐ０を配置する構成と組み合わせることで、嵌合幅Ｗが大きな蟻型部６及び蟻型溝７を踵側に向かって幅が狭くなるヒール部３Ａの輪郭内に効率的に収容できるので、蟻型部材本体１０を小型化する目的に適っている。このため、履物本体２側の蟻型部材４の後方側及び両側面側がヒール部３Ａによって外側から覆われ、履物本体２の爪先部分の陰になる前方側に比較して外側から目立ち易いヒール部材３Ａの後方側及び両側方側には、ヒール部３Ａと蟻型部材４の繋ぎ目が現れず、ヒール部３Ａの後方側から蟻型部６と蟻型溝７の係合状態が見えない。
【００３８】
蟻型部６及び蟻型溝７は、その嵌合幅Ｗ方向を含む輪郭形状が台形であって嵌合開始位置Ｐ０から嵌合位置Ｐ１へ向かって嵌合幅Ｗが狭くなっている。このため、蟻型部６と蟻型溝７の嵌合が緩い嵌合開始位置Ｐ０でヒール部３Ａの取付けを開始して蟻型部６と蟻型溝７の係合が緊密な嵌合位置Ｐ１でヒール部３Ａの取付けを終了させることができる。このため、蟻型部６と蟻型溝７の寸法精度が低くても、履物本体２に対するヒール部３Ａの着脱が硬くなったり、履物本体２に取付けられたヒール部３Ａにがたつきを生じたりし難い。そして、蟻型部６と蟻型溝７のスライドに伴って蟻型部６の蟻面６ａと蟻型溝７の蟻面７ａの隙間が連続的に変化するため、履物本体２に対するヒール部３Ａのスライド及び着脱が円滑である。また、蟻型部６及び蟻型溝７の設計、製造が容易であり、蟻型部６及び蟻型溝７に付着した泥汚れの除去も容易である。
【００３９】
これに対して、スライド方向と平行な蟻型部と蟻型溝とを嵌合させる場合、蟻型部と蟻型溝の寸法精度が高くないと、蟻型部と蟻型溝の間に土を挟んでヒール部の着脱が硬くなったり、履物踵部部に取付けられたヒール部に過剰ながたつきを生じたりする可能性がある。このため、樹脂成型したヒール部をそのまま使用することが難しく、樹脂成型後の仕上げ加工によるヒール部のコストアップが問題となる。しかし、実施例１では、蟻型部６と蟻型溝７の寸法精度が低くても、履物本体２に対するヒール部３Ａの着脱が容易で装着精度が高いので、樹脂成型後の仕上げ加工が不要になった。また、蟻型部６及び蟻型溝７は、嵌合位置Ｐ１では、その蟻面６ａ、７ａ同士を当接させて嵌合している。このため、蟻型部６と蟻型溝７とが対向する蟻面６ａ、７ａ、６ａ、７ａ同士を当接して隙間なく嵌合させた状態で、ロック機構８により履物本体２に対するヒール部３Ａのスライドをロックさせることができる。このため、ロック機構８によりロックさせたヒール部３Ａにがたつきが生じ難い。
【００４０】
図６に示すように、ロック機構８は、蟻型部材本体１０に設けられ、ヒール部３Ａに設けられた係合凹部８ａに対して係合／係合解除が可能な係合部材８ｂと、蟻型部材本体１０に設けられ、手動操作されて係合部材８ｂを係合凹部８ａに対して係合／係合解除させるレバー部材８ｄと、蟻型部材本体１０に設けられ、係合凹部８ａに向かって係合部材８ｂを付勢する弾性部材８ｃと、を有する。係合部材８ｂ、弾性部材８ｃ、及びレバー部材８ｄが蟻型部材本体１０に設けられて、複数種類のヒール部３Ａに対して共通に使用される。そして、レバー部材８ｄは、弾性部材８ｃの付勢に抗して係合部材８ｂを移動させて、係合凹部８ａから係合部材８ｂを係合解除させる。また、レバー部材８ｄは、通常は押し上げ状態に保持され、押し下げられることにより係合部材８ｂの係合を解除する。このため、レバー部材８ｄが誤って段差や杭等に接触して押し上げられても、係合部材８ｂが係合凹部８ａから係合解除され難い。
【００４１】
係合部材８ｂは、蟻型部６の中央に形成された角孔６ｂに収容され、角孔６ｂの中間高さに設けられた規制部６ｃにより下限位置を規制されて、高さ方向へスライド可能である。係合部材８ｂは、下端の係合突起部８ｅを下方へ突出させて、ヒール部３Ａの係合凹部８ａに係合させることにより、ヒール部３Ａを嵌合位置Ｐ１に位置決めてロックする。弾性部材８ｃは、蟻型部材本体１０の角孔６ｂに収容されて、係合部材８ｂと踵プレート９との間に圧縮状態で挟持された圧縮コイルばねである。踵プレート９は、ネジ９ａ、９ａ（、９ａ、９ａ）によって蟻型部材本体１０に固着されている。弾性部材８ｃは、踵プレート９に一端を支持されて他端で係合部材８ｂを係合凹部８ａに向かって弾性的に付勢する。
【００４２】
図５（ｄ）に示すように、レバー部材８ｄは、蟻型部６の中央を前後方向に横断して角孔６ｂに連絡する凹所６ｄに配置されている。そして、凹所６ｄの対向する内壁面に形成した一対の開口に回動軸８ｆを挿入して、レバー部材８ｄを上下方向へ回動可能に取り付けている。回動軸８ｆは、樹脂成型されたレバー部材８ｄの側部に円柱状の突当部８ｇを一体に形成し、突当部８ｇの中心に回動軸８ｆを一体に形成している。また、これに伴って、レバー部材８ｄの中心線上に貫通溝８ｈを形成して、回動軸８ｆを中心線側へ弾性的に退避可能にして、凹所６ｄの対向する内壁面の間へレバー部材８ｄを押し込んで取り付けることを可能にしている。なお、レバー部材８ｄの中心線上に貫通溝８ｈを形成せず、レバー部材８ｄの側部を貫通させた別部材のステンレスピン等で回動軸８ｆを形成してもよい。
【００４３】
図６に示すように、ヒール部３Ａは、ヒール部３Ａの前方側に、レバー部材８ｄを収容する凹み部７ｂを設けられている。凹み部７ｂは、手動操作されたレバー部材８ｄが回転することが可能な幅と奥行きを持たせて、蟻型溝７の一端部に連続させている。このため、レバー部材８ｄは、概ね凹み部７ｂに埋もれていて婦人靴１の側方から見え難く、婦人靴１がヒール部３Ａを取替え可能であることが周囲の他人に気付かれ難い。
【００４４】
ヒール部３Ａの前方側に、ヒール部３Ａのスライドに伴って弾性部材８ｃの付勢に抗して係合部材８ｂを移動させて係合凹部８ａへ導く傾斜面７ｓが設けられている。このため、レバー部材８ｄから手を離した状態でも、ヒール部３Ａのスライドに伴って傾斜面７ｓに押圧されて係合部材８ｂが上方のスライドを妨げない位置へ退避するので、係合部材８ｂを係合凹部８ａに係合する位置まで円滑に案内することができる。
【００４５】
次に、図９（ａ）〜（ｃ）を参照して、ヒール部３Ａを履物本体２から取外して再度取付ける手順について説明する。図９（ａ）に示すように、蟻型部６が蟻型溝７に嵌合して履物本体２にヒール部３Ａが取付けられ、係合部材８ｂがヒール部３Ａの係合凹部８ａに挿入されて、履物本体２にヒール部３Ａがロックされている。この状態で、使用者が一方の手で履物本体２を支持して、ヒール部３Ａの凹み部７ｂに他方の手の指を入れて、レバー部材８ｄの指掛け部８ｊに指を掛けて押し下げると、レバー部材８ｄは、回動軸８ｆを支点にして反時計方向へ回転して、弾性部材８ｃを圧縮しつつ係合部材８ｂを押し上げる。このため、図９（ｂ）に示すように、係合部材８ｂが係合凹部８ａから抜けて、ヒール部３Ａのロックが解除される。
【００４６】
この状態で、使用者は、蟻型部６を蟻型溝７から抜き出す方向へヒール部３Ａをスライドさせる。使用者が一方の手で履物本体２を支持し、他方の手でヒール部３Ａを持って、図８（ｃ）に示すように、蟻型部６に沿って蟻型溝７を後方側へスライドさせる。図７に示すように、最初は緊密に嵌合していても、スライド開始直後から蟻型部６の蟻面６ａと蟻型溝７の蟻面７ａの隙間が拡大して、円滑なスライドが実現する。このようにして、履物本体２に対してヒール部３Ａを円滑に後方側へ移動して、蟻型部６と蟻型溝７の嵌合を解除して、履物本体２からヒール部３Ａを容易に取り外すことができる。
【００４７】
次に、履物本体２にヒール部３Ａを装着する手順を説明する。図９（ｃ）に示すように、使用者が一方の手で履物本体２を支持し、他方の手でヒール部３Ａを持って、蟻型溝７に蟻型部６を当てがい、蟻型部６と蟻型溝７のスライド方向にヒール部３Ａを押し込む。ここで、ヒール部３Ａとは高さが異なるヒール部と交換したい場合、ヒール部３Ａの代わりに、他の高さが異なるヒール部を使用することになる。図６に示すように、蟻型部６は、蟻型溝７に嵌合して蟻型溝７内をスライドして、その先端が蟻型溝７の終端部７ｃに達して突き当たる。このとき、スライドの最終位置で蟻型溝７と蟻型部６の嵌合が緊密になり、ヒール部３Ａががたつき無く履物本体２に装着される。
【００４８】
このとき、図６に示すように、スライドの中間位置で、傾斜面７ｓが係合部材８ｂを斜めに案内して弾性部材８ｃの付勢に抗して上方へ押し上げるので、係合部材８ｂが蟻型溝７の底の縁に衝突することはなく、スライドの最終位置までヒール部３Ａのスライドを妨げない。図９（ｂ）に示すように、スライドの最終位置で係合部材８ｂの係合突起部８ｅが係合凹部８ａの位置に来て、係合突起部８ｅが係合凹部８ａに落ち込んで、係合部材８ｂは、弾性部材８ｃの付勢力によりヒール部３Ａ側へ突出して係合凹部８ａに係合し、蟻型部６がその位置で蟻型溝７にロックされる。これにより、ヒール部３Ａは、上下・左右・前後方向へ抜け落ちることなくしっかりと履物本体２に固着される。
【００４９】
実施例１の婦人靴１によれば、履物本体２に対しヒール部３Ａ側が容易に取り外され、容易に装着されるので、別のヒール部を上記したような手順で履物本体２へ装着させることにより、ヒール部３Ａの交換が容易にできる。また、実施例１では、履物本体２の踵部２ａに蟻型部材本体１０を取付けるので、従来の履物本体２のデザインや履き心地をそのまま（あるいはわずかな追加工で）利用して、ヒール部３Ａを取替えることのできる婦人靴１を企画、設計、製造して、提供することができる。また、ロック機構８は、履物本体２側の蟻型部材本体１０に係合部材８ｂを設けているので、ヒール部３Ａ側に係合部材８ｂ及び係合部材８ｂに関連する機構を設ける必要が無い。したがって、取替え用のヒール部を樹脂成型等によりコストダウンして安価に提供できる。
【００５０】
ところで、ヒール部を取替え可能な婦人靴は、その使用者としては、自分の婦人靴がヒール部を取替え可能であることが周囲の他人から目立たないことが望ましい。この観点から、特許文献１の公知技術は、履物本体２の外側でヒール部の根本側部分と先端側部分とが繋ぎ合わせられて、蟻型溝と蟻型部の嵌合によるヒール部の繋ぎ目がヒール部の外周を一周して外側から一目瞭然であるため好ましくない。ヒール部の前方側にロック手段としての固定係止板が露出していることも好ましくない。これに対して、実施例１では、上述したように、ヒール部３Ａの外観上の繋ぎ目が存在しない。また、使用者が操作するロック機構８は、ヒール部３Ａの前方側の凹み部７ｂに収容されて外側からは見え難くなっている。したがって、実施例１の婦人靴１は、ヒール部を交換できない通常の婦人靴のように見え、ヒール部３Ａが交換可能であることを自分でもあまり意識しないで済み、周囲の他人にも気付かれ難い。
【実施例２】
【００５１】
図１０〜図１２は、ヒール部の他の実施例２を示す。図１１に示すように、実施例２の婦人靴１Ｂは、蟻型部材４（１０、１１）及びロック機構８が実施例１と同一に構成されているため、以下では、図５、図６を一部参照して実施例２を説明する。図１０（ａ）に示すように、婦人靴１Ｂは、足を入れる履物本体２と、蟻型部６を有して履物本体２に固定された蟻型部材４と、蟻型部６に嵌合する蟻型溝７を有するヒール部３Ｂと、蟻型部材４に設けられて蟻型溝７を蟻型部６に嵌合させて履物本体２に取付けられたヒール部３Ｂを蟻型部材４にロックさせるロック機構８と、を有する。そして、ロック機構８は、図６に示すように、蟻型部材本体１０に設けられ、ヒール部３Ｂに設けられた係合凹部８ａに対して係合／係合解除が可能な係合部材８ｂと、蟻型部材本体１０に設けられ、手動操作されて係合部材８ｂを係合凹部８ａに対して係合／係合解除させるレバー部材８ｄと、蟻型部材本体１０に設けられ、係合凹部８ａに向かって係合部材８ｂを付勢する弾性部材８ｃと、を有する。レバー部材８ｄは、弾性部材８ｃの付勢に抗して係合部材８ｂを移動させて係合凹部８ａから係合部材８ｂを係合解除させる。係合部材８ｂ、弾性部材８ｃ、及びレバー部材８ｄは、蟻型部材本体１０に設けられて、複数種類のヒール部３Ｂに対して共通に使用される。履物本体２、蟻型部材本体１０、蟻型溝７、及びロック機構８は、実施例１で説明したものと同一であって、履物本体２に対してヒール部３Ｂを着脱可能にする。蟻型溝７は、ヒール部３Ｂの互換性を確保するために、ヒール部３Ｂとセットにして提供される不図示のロウヒール用のヒール部、又はハイヒール用のヒール部についても共通に構成されている。
【００５２】
図１１（ａ）に示すように、蟻型溝７は、ヒール部３Ｂの後方側の端部まで達しておらず、その途中で止められている。蟻型部材本体１０及びベース板１１をできるだけ小型化し、蟻型部材本体１０及びベース板１１を効率的に内側に保持して下方から支える階段状の凹所７ｄを、ヒール部３Ｂの上面に形成している。蟻型部６及び蟻型溝７は、嵌合開始位置Ｐ０から嵌合位置Ｐ１へ向かって嵌合幅Ｗが次第に狭くなっている。これにより、ヒール部３Ｂの後方側からは、蟻型部６と蟻型溝７の嵌合状態が見えないように工夫されている。図１１（ｂ）に示すように、蟻型部６及びロック機構８が蟻型部材本体１０に設けられ、蟻型溝７がヒール部３Ｂに設けられている。ヒール部３Ｂは、履物本体２の後方側から前方側へ向かってスライドさせて履物本体２に取付けられる。蟻型溝７は、ヒール部３Ｂのスライドに伴って蟻型部６に嵌合される。蟻型溝７は、ヒール部３Ｂに樹脂成型により一体に形成されている。蟻型部６は、蟻型部材本体１０に樹脂成型により一体に形成されている。なお、ヒール部３Ｂに蟻型部を設け、蟻型部に嵌合する蟻型溝を形成した蟻型部材を履物本体２に設けてもよい。
【００５３】
次に、図１２（ａ）〜（ｃ）を参照して、ヒール部３Ｂを履物本体２から取外して再度取付ける手順について説明する。図１２（ａ）に示すように、蟻型部６が蟻型溝７に嵌合して履物本体２にヒール部３Ａが取付けられ、係合部材８ｂがヒール部３Ｂの係合凹部８ａに挿入されて、履物本体２にヒール部３Ｂがロックされている。この状態で、使用者がレバー部材８ｄを押し下げると、レバー部材８ｄは、係合部材８ｂを押し上げて、図１２（ｂ）に示すように、係合部材８ｂが係合凹部８ａから抜けて、ヒール部３Ａのロックが解除される。この状態で、使用者は、後方側へヒール部３Ａをスライドさせて、図１２（ｃ）に示すように蟻型部６を蟻型溝７から抜き出す。
【００５４】
次に、履物本体２にヒール部３Ｂを装着する手順を説明する。図１２（ｃ）に示すように、使用者が一方の手で履物本体２を支持し、他方の手でヒール部３Ｂを持って、蟻型溝７に蟻型部６を当てがい、蟻型部６と蟻型溝７のスライド方向にヒール部３Ｂを押し込む。図６に示すように、蟻型部６は、蟻型溝７に嵌合して蟻型溝７内をスライドして、その先端が蟻型溝７の終端部７ｃに達して突き当たる。このとき、スライドの最終位置で蟻型溝７と蟻型部６の嵌合が緊密になり、ヒール部３Ｂががたつき無く履物本体２に装着される。このとき、スライドの中間位置で、傾斜面７ｓが係合部材８ｂを斜めに案内して弾性部材８ｃの付勢に抗して上方へ押し上げるので、係合部材８ｂが蟻型溝７の底の縁に衝突することはなく、スライドの最終位置までヒール部３Ｂのスライドを妨げない。スライドの最終位置では、図１２（ｂ）に示すように係合部材８ｂが弾性部材８ｃの付勢力によりヒール部３Ａ側へ突出して係合凹部８ａに係合し、蟻型部６がその位置で蟻型溝７にロックされる。これにより、ヒール部３Ｂは、上下・左右・前後方向へ抜け落ちることなくしっかりと履物本体２に固着される。
【産業上の利用可能性】
【００５５】
本発明は以上のように構成したので、一足分の履物踵部部と、高さの異なる複数のヒール部や取替え用ヒール部を用意することで、同じデザインの履物踵部部を高さの異なる履物として使用することができる経済性の高い履物として好適に用いられるものである。なお、本発明は実施例１、２に限定されるものではなく、実施例１、２以外の履物の種類、ヒール部の形状構造のものに設計変更することが可能であり、本発明は、上記の説明から当業者が容易に想到し得るすべての変更実施例を包摂するものである。
【符号の説明】
【００５６】
１  婦人靴（履物）
２  履物本体
２ａ  踵部
３Ａ、３Ｂ  ヒール部
４  蟻型部材
５  中敷
５ｂ  踵支持プレート
５ｃ  下敷
５ｄ  中敷
５ｅ  上敷
５ｆ  スペーサ
５ｈ  はと目
６  蟻型部
６ａ  蟻面
７  蟻型溝
７ａ  蟻面
７ｂ  凹み部
７ｓ  傾斜面
８  ロック機構
８ａ  係合凹部
８ｂ  係合部材
８ｃ  弾性部材
８ｄ  レバー部材
９  踵プレート
１０  蟻型部材本体
１１  ベース板
【図１】
2020081113.tif 000003
【図２】
2020081113.tif 000004
【図３】
2020081113.tif 000005
【図４】
2020081113.tif 000006
【図５】
2020081113.tif 000007
【図６】
2020081113.tif 000008
【図７】
2020081113.tif 000009
【図８】
2020081113.tif 000010
【図９】
2020081113.tif 000011
【図１０】
2020081113.tif 000012
【図１１】
2020081113.tif 000013
【図１２】
2020081113.tif 000014